(57)【要約】【課題】ラベルが剥がされた形跡を残すこと。【解決手段】所定の物体に、少なくとも一部が重ね合わせられて貼り付けられるシールであって、重ね合わせられたときに外側に位置するシール部分が貼り付けられる内側に位置するシール部分に、切り込みを有する。そして、上記切り込みは、シールが重ね合わせられたときに外側に位置するシール部分の外縁近辺に位置するよう内側に位置するシール部分に形成されている。また、上記切り込みの少なくとも一部は、曲折した形状であり、当該曲折部分の凸側が、シールが重ね合わせられたときに外側に位置するシール部分の外縁に向くよう内側に位置するシール部分に形成されている。【選択図】図１
2009128650.tif 000002
【特許請求の範囲】
【請求項１】
所定の物体に、少なくとも一部が重ね合わせられて貼り付けられるシールであって、
重ね合わせられたときに外側に位置するシール部分が貼り付けられる内側に位置するシール部分に、切り込みを有する、
ことを特徴とするシール。
【請求項２】
前記切り込みは、シールが重ね合わせられたときに前記外側に位置するシール部分の外縁近辺に位置するよう前記内側に位置するシール部分に形成されている、
ことを特徴とする請求項１記載のシール。
【請求項３】
前記切り込みの少なくとも一部は、曲折した形状であり、当該曲折部分の凸側が、シールが重ね合わせられたときに前記外側に位置するシール部分の外縁に向くよう前記内側に位置するシール部分に形成されている、
ことを特徴とする請求項１又は２記載のシール。
【請求項４】
曲折した形状である複数の前記切り込みの凸側が、それぞれ異なる方向を向いて前記内側に位置するシール部分に形成されている、
ことを特徴とする請求項３記載のシール。
【請求項５】
前記切り込みの少なくとも一部は、略Ｕ字状、あるいは、略Ｖ字状である、
ことを特徴とする請求項１，２，３又は４記載のシール。
【請求項６】
前記切り込みの少なくとも一部は、略Ｕ字状あるいは略Ｖ字状の凸側端部を切除した形状である、
ことを特徴とする請求項１，２，３，４又は５記載のシール。
【請求項７】
前記切り込みの少なくとも一部は、略Ｖ字状の頂部を切除した形状である、
ことを特徴とする請求項１，２，３，４，５又は６記載のシール。
【請求項８】
前記切り込みは、２本の直線状の切り込みが相互に交差して形成されている、
ことを特徴とする請求項１，２，３，４，５，６又は７記載のシール。
【請求項９】
前記内側に位置するシール部分は、前記切り込みが形成された位置の少なくとも一部に接着層を有しない、
ことを特徴とする請求項１，２，３，４，５，６，７又は８記載のシール。
【請求項１０】
前記切り込みは、前記内側に位置するシール部分の外縁に位置しない、
ことを特徴とする請求項１，２，３，４，５，６，７，８又は９記載のシール。
【請求項１１】
少なくとも一部が重ね合わせられた状態でシールが貼り付けられたシール貼り付け物体であって、
前記シールは、重ね合わせられた箇所において外側に位置するシール部分が貼り付けられた内側に位置するシール部分に切り込みを有する、
ことを特徴とするシール貼り付け物体。
【請求項１２】
前記切り込みは、シールが重ね合わせられたときに前記外側に位置するシール部分の外縁近辺に位置するよう前記内側に位置するシール部分に形成されている、
ことを特徴とする請求項１１記載のシール貼り付け物体。
【請求項１３】
前記切り込みの少なくとも一部は、曲折した形状であり、当該曲折部分の凸側が、シールが重ね合わせられたときに前記外側に位置するシール部分の外縁に向くよう前記内側に位置するシール部分に形成されている、
ことを特徴とする請求項１１又は１２記載のシール貼り付け物体。
【請求項１４】
所定の物体に、少なくとも一部を重ね合わせてシールを貼り付けるシール貼り付け方法であって、
前記シールのうち切り込みを有する内側シール部分を前記物体に貼り付けた後に、当該内側シール部分の前記切り込み上に外側シール部分を重ね合わせて貼り付ける、
ことを特徴とするシール貼り付け方法。
【請求項１５】
前記内側シール部分に形成された前記切り込みが、前記外側シール部分の外縁近辺に位置するよう当該外側シール部分を前記内側シール部分上に重ね合わせて貼り付ける、
ことを特徴とする請求項１４記載のシール貼り付け方法。
【請求項１６】
前記内側シール部分に形成された少なくとも一部が曲折した形状である前記切り込みの当該曲折部分の凸側が、前記外側シール部分の外縁に向くよう、前記内側シール部分及び前記外側シール部分を重ね合わせて貼り付ける、
ことを特徴とする請求項１４又は１５記載のシール貼り付け方法。
【発明の詳細な説明】
【技術分野】
【０００１】
本発明は、シールにかかり、特に、剥がしたことを認識可能なシールに関する。
【背景技術】
【０００２】
図１２に示すような電池パックは、図１１に示すように、素電池５０３の周囲をフレーム５０４，５０５で囲った上で、中央部に図１０，１１に示すラベル５０１を直接、素電池５０３に貼り付けて構成している。これにより、電池パックの厚みを最小限にすると共に、重量を軽くする、という設計となっている。
【０００３】
一方で、上述した外装をラベル５０１が巻いてある電池パックでは、そのラベルを故意に剥がす事が可能であり、その場合には、金属の素電池が露出したり、パック内に異物を混入されてしまうなどの問題が生じうる。
【０００４】
このため、ラベル５０１には、図１０、図１２に示すように、切り欠き５１３を形成し、この切り欠き５１３部分が最外面に位置するようラベル５０１貼り付ける。これにより、図１３に示すように、ラベル５０１が剥がされた時には、切り欠き５１３部分からラベル５０１が破れることとなり、故意にラベル５０１を剥がした事が履歴として残る。このようにして、上述した問題の回避を図っている。例えば、下記特許文献１，２，３は、同様に、ラベル（シール）の最外面に位置する部分に、切り欠きや切り込みを形成することを示している。
【０００５】
【特許文献１】特開２００４−１１５０８５号公報
【特許文献２】特開２００４−２０５９５５号公報
【特許文献３】特開平７−１４６６５１号公報
【発明の開示】
【発明が解決しようとする課題】
【０００６】
しかしながら、上述した形状のラベルは、図１２に示すように貼り付け後の切り欠きや切り込み部分が外観に現れているため、故意にラベルを剥がされる場合に、該当箇所を注意して剥がされてしまう可能性が有る。このため、ラベルが剥がされた形跡が残らないことがあり、剥がされたことを認識できない場合が生じうる。
【０００７】
このため、本発明の目的は、上述した課題である、ラベルが剥がされた形跡を残し、剥がしたことを認識することができるよう構成されたシールを提供すること、にある。
【課題を解決するための手段】
【０００８】
本発明の一形態であるシールは、所定の物体に、少なくとも一部が重ね合わせられて貼り付けられるシールであって、重ね合わせられたときに外側に位置するシール部分が貼り付けられる内側に位置するシール部分に、切り込みを有する、という構成を採る。
【発明の効果】
【０００９】
本発明は、以上のように構成されるため、外部から切り込みの位置を視認することを困難とし、より確実に、シールが剥がされたことの形跡を残すことができる、という従来にない優れた効果を有する。
【発明を実施するための最良の形態】
【００１０】
本発明の一形態であるシールは、所定の物体に、少なくとも一部が重ね合わせられて貼り付けられるシールであって、重ね合わせられたときに外側に位置するシール部分が貼り付けられる内側に位置するシール部分に、切り込みを有する、という構成を採っている。そして、上記切り込みは、シールが重ね合わせられたときに外側に位置するシール部分の外縁近辺に位置するよう内側に位置するシール部分に形成されている、という構成を採る。また、上記切り込みの少なくとも一部は、曲折した形状であり、当該曲折部分の凸側が、シールが重ね合わせられたときに外側に位置するシール部分の外縁に向くよう内側に位置するシール部分に形成されている、という構成を採る。さらに、曲折した形状である複数の切り込みの凸側が、それぞれ異なる方向を向いて内側に位置するシール部分に形成されている、という構成を採る。
【００１１】
具体的に、上記切り込みの少なくとも一部は、略Ｕ字状、あるいは、略Ｖ字状である。また、上記切り込みの少なくとも一部は、略Ｕ字状あるいは略Ｖ字状の凸側端部を切除した形状である。特に、切り込みの少なくとも一部は、略Ｖ字状の頂部を切除した形状である。また、上記切り込みは、２本の直線状の切り込みが相互に交差して形成されている。
【００１２】
さらに、上記シールでは、内側に位置するシール部分は、切り込みが形成された位置の少なくとも一部に接着層を有しない、という構成を採る。また、上記切り込みは、内側に位置するシール部分の外縁に位置しない、という構成を採る。
【００１３】
上記発明によると、まず、シールは、物体の表面に、その一部を重ね合せて貼り付けられるものである。このとき、シールの一部分には切り込みが形成されており、当該切り込みが形成されたシール部分の上方に、他のシール部分が貼り付けられるよう、重ね合わせて貼り付ける。つまり、切り込みが形成されたシール部分が内側となり、その上方を覆って外側シール部分を貼り付ける。すると、重ね合わせた外側シール部分で、切り込みが形成された内側シール部分が隠された状態となる。従って、仮に、シールが剥がされる場合には、まず、外側シール部分の外縁から剥がされることになるが、この外側シール部分を剥がしたときの接着力によって、その下に重ねられ貼り付いて位置する内側シール部分の表面が引っ張られ、内側シール部分を剥がそうとする力が生じる。このとき、上記外側シール部分の剥がす力によって、内側シール部分に形成された切り込み部分からシールが剥がれる。
【００１４】
以上より、本発明では、シールが剥がされたことの形跡を残すことができる。このとき、切り込みが外側シール部分に覆われているため、シールを故意に剥がそうとする者は、切り込みを認識することができず、その位置を正確に特定することができない。従って、剥がされた形跡を残さずに剥がすことが困難となり、より確実に剥がした痕跡を残すことができる。また、切り込みがシールの最外面に位置しないため、当該最外面に形成する文字や図などの妨げとはならない。このため、シール表面に対する文字やデザインのレイアウトの自由度が向上しうる。
【００１５】
そして、切り込みを上述した形状に形成したり、切り込みが形成された位置に接着層を設けない、などの構成を採ることで、より適切に内側シール部分が剥がれるようになり、剥がされた痕跡をより確実に残すことができる。
【００１６】
さらに、上記切り込みが内側シール部分の外縁に位置しないよう形成することで、台紙から不要シール部分を剥がす際に、シール本体が切り込みから破れることを抑制することができる。その結果、製造効率の向上を図ることができ、コストの低減を図ることができる。
【００１７】
また、本発明の他の形態であるシール貼り付け物体は、少なくとも一部が重ね合わせられた状態でシールが貼り付けられたシール貼り付け物体であって、シールは、重ね合わせられた箇所において外側に位置するシール部分が貼り付けられた内側に位置するシール部分に切り込みを有する、という構成を採る。そして、上記切り込みは、シールが重ね合わせられたときに外側に位置するシール部分の外縁近辺に位置するよう内側に位置するシール部分に形成されている、という構成を採る。また、上記切り込みの少なくとも一部は、曲折した形状であり、当該曲折部分の凸側が、シールが重ね合わせられたときに外側に位置するシール部分の外縁に向くよう内側に位置するシール部分に形成されている、という構成を採る。
【００１８】
また、本発明の他の形態であるシール貼り付け方法は、所定の物体に、少なくとも一部を重ね合わせてシールを貼り付けるシール貼り付け方法であって、シールのうち切り込みを有する内側シール部分を物体に貼り付けた後に、当該内側シール部分の切り込み上に外側シール部分を重ね合わせて貼り付ける、という構成を採る。そして、内側シール部分に形成された切り込みが、外側シール部分の外縁近辺に位置するよう当該外側シール部分を内側シール部分上に重ね合わせて貼り付ける、という構成を採る。また、内側シール部分に形成された少なくとも一部が曲折した形状である切り込みの当該曲折部分の凸側が、外側シール部分の外縁に向くよう、内側シール部分及び外側シール部分を重ね合わせて貼り付ける、という構成を採る。
【００１９】
以下、本発明の具体的な構成を、実施形態にて説明する。なお、以下では、シールが貼り付けられる物体の一例を電池パックとし、また、シールの一例を、当該電池パックに外装として巻きつけて貼りつけるラベルとする。但し、シールが貼り付けられる物体や当該シールは、上記電池パックや当該電池パックに巻きつけられるラベルに限定されるものではなく、いかなる物体やシールであってもよい。
【００２０】
＜実施形態１＞
本発明の第１の実施形態を、図１乃至図５を参照して説明する。図１は、ラベルの構成を示す図である。図２は、ラベルを電池パックに貼り付けたときの様子を示す図である。図３は、電池パックに貼り付けられたラベルを剥がしたときの様子を示す図である。図４は、台紙から不要部分を剥がして台紙にラベルを残す作業時の様子を示す図であり、図５は、その比較例である。
【００２１】
図１は、電池パックの外装を形成するラベル１（シール）である。このラベル１は、図１１に示す素電池の側面周囲をフレームで囲ったものに対して、その中央部分の周囲を巻いて貼り付けられるものである。これにより、図２に示すように、ラベル１は電池パック２の外装となる。
【００２２】
そして、本実施形態におけるラベル１は、図１に示すように、略長方形形状である。そして、図２に示すように、電池パック２に巻き付けられる時には、長手方向の両端に位置する所定の領域部分（一部）が、重ね合わせられて貼り付けられる。ここで、図２に示すように、巻き付けられたときに電池パック自体に貼り付けられ下側（内側）に位置する領域部分を、内側ラベル部分１１（内側シール部分）と呼び、この内側ラベル部分１１の上（外側）に重ね合わせられて貼り付けられる領域部分を、外側ラベル部分１２（外側シール部分）と呼ぶ。つまり、ラベル２が電池パック２に貼り付けられた状態において、内側ラベル部分１１の表面には、外側ラベル部分１２の接着層が貼り付けられた状態となる。さらに換言すると、この重ね合わせられた箇所Ａにおいては、内側に内側レベル部分１１が位置し、外側に外側ラベル部分１２が位置する。
【００２３】
また、上記内側ラベル部分１１は、図１に示すように、略Ｖ字状の切り込み１３を３つ有している。この切り込み１３は、ラベル１０自体を厚み方向に貫通している。但し、切り込み１３は、ラベル１０の厚みの途中まで切り込まれているだけでもよい。また、切り込み１３は、ラベル１の外縁には位置していない。つまり、切り込み１３の切り込み線は、ラベル１の外縁にはかかっていない。
【００２４】
また、切り込み１３は、図２に示すように、ラベル１が電池パック２に巻き付けられたときに、その上方に重ね合わせられて貼り付けられる外側ラベル部分１２の外縁にかかることなく、当該外縁近辺に位置するよう形成されている。さらに、各Ｖ字状の切り込み１３の頂部（Ｖ字状の鋭角形状部分）は、重ね合わせられて貼り付けられる外側ラベル部分１２の外縁を向いて配置されている。具体的には、図２において、中央に設けられている切り込み１３は、その頂部が横方向を向いており、上側と下側に位置する切り込み１３は、それぞれ斜め上方向と斜め下方向を向いている。つまり、各切り込み１３の鋭角形状部分が、それぞれ異なる方向を向いて形成されている。
【００２５】
次に、上記構成のラベル１の貼り付け方法を説明する。まず、電池パック２の外周に、内側ラベル部分１１からラベル１を巻き付けて貼り付けていく。そして、電池パック２の外周を全て覆うようラベル１を貼り付け、最後に、外側ラベル部分１２を内側ラベル部分１１の上側に重ね合わせて貼り付ける。このとき、内側ラベル部分１１に形成された切り込み１３が、外側ラベル部分１２に覆われるよう貼り付ける。これにより、図２に示すように、ラベル１にて電池パック２の外装を形成することができる。そして、かかる場合には、内側ラベル部分１１に形成された切り込み１３は、外部から視認することはできない。また、このことにより、切り欠き１３がラベル１に形成する文字や図などの妨げとはならないため、印刷文字やデザインのレイアウトの自由度が向上する。
【００２６】
次に、上記電池パック２に貼り付けたラベル１を剥がすときの動作を、図３を参照して説明する。この図では、外側ラベル部分１２の下側の角から剥がしたときの様子を示している。この図に示すように、外側ラベル部分１２を剥がすと、当該外部ラベル部分１２の接着力によって、内側ラベル部分１２の表面が引っ張られ、当該内側ラベル部分１２を剥がそうとする力が働く。すると、切り込み１３の部分が、矢印Ｙに示すように、外側ラベル部分１２に張り付いた状態で剥がれる。このとき、Ｖ字状の切り込み１３は、その長手方向と外側ラベル部分１３を剥がそうとする方向とが同一直線上に位置し、かつ、当該剥がそうとする方向と鋭角形状である切り込み１３の先端が向く方向とが、相互に対向している。このため、切り込み１３部分がその先端から剥がれ易くなっており、より確実に切り込み１３部分が剥がれることとなる。以上より、ラベル１の切り込み１３部分が剥がされたことの形跡１３ａを残すことができる。
【００２７】
続いて、上記構成のラベルの生産時の様子を、図４を参照して説明する。図４に示すように、ラベル１は台紙４０上に形成されるが、ラベル部分が所定のラベル形状にカットされた状態で生産され、各ラベル形状の外周に位置する不要部分３０は台紙４０から剥がされる。このとき、上述した構成の場合には、切り込み１３がラベル１の内部に形成されているため、不要部分３０を剥がす際にラベル１が破れることを抑制することができる。
【００２８】
一方、図５に示すように、仮に、図１０等に示したように、切り込み５１３がラベル５０１の外縁に位置する場合には、台紙５４０から不要部分５３０を剥がす際に、切り込み５１３部分からラベル５０１自体が破れる場合が生じうる（点線部分参照）。従って、上述した本実施形態におけるラベル１によると、ラベル１の生産時に当該ラベル自体の損傷を抑制することができる。その結果、製造効率の向上を図ることができ、コストの低減を図ることができる。
【００２９】
＜実施形態２＞
次に、本発明の実施形態２を、図６乃至図９を参照して説明する。図６乃至図９は、上述した切り込み１３の形状の他の例を示す図である。なお、図６乃至図８においては、各図（ｂ）は、それぞれ各図（ａ）に示した切り込みの拡大図を示す。
【００３０】
まず、図６（ａ）の場合における内側ラベル部分１１に形成された切り込み１１３は、図６（ｂ）に示すように、概ね楕円形の一部の形状に近似する略Ｕ字状である。そして、Ｕの字の凸側、つまり、曲折部分が、外側ラベル部分１２が重ね合わせられて貼り付けられた状態では、当該外側ラベル部分１２の外縁に向くよう形成されている。
【００３１】
また、図７（ａ）の場合における内側ラベル部分１１に形成された切り込み２１３は、図７（ｂ）に示すように、上記実施形態１で説明した略Ｖ字状の切り込み１３の頂部２１３’（鋭角形状の先端部分）を切り抜いた形状である。なお、上述した図６（ｂ）に示す略Ｕ字状の凸側の端部、つまり、曲折部分の一部を切り抜いてもよい。
【００３２】
また、図８（ａ）の場合における内側ラベル部分１１に形成された切り込み３１３は、図８（ｂ）に示すように、２本の直線状の切り込み線が相互に交差して形成されている。これにより、直線状の切り込み３１３の交差部分が、上記実施形態１の略Ｖ字状の切り込み１３と同一の形状となる。
【００３３】
さらに、図９は、ラベル１の断面図を示しており、例えば、上層にラベル層４１０と下層に接着層４２０とを備えている。そして、この例では、ラベル層４１０に形成された上述したような切り込み１３等に対応する位置の接着層４２０を除去して形成している。この接着層４２０の除去範囲は、例えば、切り込み１３等の先端部分に対応する範囲である。但し、接着層４２０の除去範囲は、切り込み１３等部分の全体に対応する範囲であってもよく、あるいは、切り込み１３等部分の一部に対応する範囲であってもよい。これにより、さらに切り込み１３等部分が剥がれやすくなる。
【００３４】
以上のように切り込み１１３，２１３，３１３，４１３を構成しても、外側ラベル部分１２をその外縁から剥がしたときには、当該外部ラベル部分１２の接着力によって上記切り込み１１３等が剥がれ易くなる。従って、より確実に、ラベル１の切り込み部分が剥がされたことの形跡１３ａを残すことができる。
【産業上の利用可能性】
【００３５】
本発明は、電池パックや販売商品など、開封されることを抑制すべくシールが貼り付けられる物体に利用することができ、産業上の利用可能性を有する。
【図面の簡単な説明】
【００３６】
【図１】ラベルの構成を示す図である。
【図２】ラベルを電池パックに貼り付けたときの様子を示す図である。
【図３】電池パックに貼り付けられたラベルを剥がしたときの様子を示す図である。
【図４】台紙から不要部分を剥がして台紙にラベルを残す作業時の様子を示す図である。
【図５】図４との比較例を示す図である。
【図６】ラベルの他の構成例を示す図である。
【図７】ラベルの他の構成例を示す図である。
【図８】ラベルの他の構成例を示す図である。
【図９】ラベルの他の構成例を示す図である。
【図１０】本発明に関連するラベルの構成を示す図である。
【図１１】図１１に開示したラベルを電池パックに貼り付けるときの様子を示す図である。
【図１２】図１１に開示したラベルを電池パックに貼り付けたときの様子を示す図である。
【図１３】図１２に開示した電池パックに貼り付けられたラベルを剥がしたときの様子を示す図である。
【符号の説明】
【００３７】
１  ラベル
２  電池パック
１１  内側ラベル部分
１２  外側ラベル部分
１３，１１３，２１３，３１３，４１３  切り込み
３０  不要部分
４０  台紙
【図１】
2009128650.tif 000003
【図２】
2009128650.tif 000004
【図３】
2009128650.tif 000005
【図４】
2009128650.tif 000006
【図５】
2009128650.tif 000007
【図６】
2009128650.tif 000008
【図７】
2009128650.tif 000009
【図８】
2009128650.tif 000010
【図９】
2009128650.tif 000011
【図１０】
2009128650.tif 000012
【図１１】
2009128650.tif 000013
【図１２】
2009128650.tif 000014
【図１３】
2009128650.tif 000015